(57)【要約】【課題】  異なるチャンネル数の複数の音声データを、ボリュームのバランスを調整してミキシングする。【解決手段】  ５．１チャンネルのメインオーディオと、２チャンネルのサブオーディオおよびエフェクトオーディオとが入力され、メインオーディオのフロント２チャンネルの音声データと、他の音声データとをダウンミキシングするメインオーディオデコーダ５１と、フロント２チャンネルの音声データ各々におけるダウンミキシングされる前後のボリュームの比率に基づいて、サブオーディオおよびエフェクトオーディオ各々の音声データのボリュームを減衰させる第１減衰器５４および第２減衰器５５と、ダウンミキシングされたフロント２チャンネルの音声データ各々と、該フロント２チャンネルに対応する減衰された音声データとをミキシングするオーディオミキシングエンジン５６とを備える。【選択図】        図２
2007221483.tif 000002
【特許請求の範囲】
【請求項１】
第１のチャンネル数の音声データを含む第１の音声ストリームと、前記第１のチャンネル数より少ない第２のチャンネル数の音声データを含む第２の音声ストリームとが入力される音声入力手段と、
前記第１の音声ストリームに含まれる前記第１のチャンネル数の音声データのうちから選択され、出力チャンネル数の特定チャンネルの音声データと、前記出力チャンネル数の特定チャンネル以外の音声データとを所定の規則に従ってミキシングして、前記出力チャンネル数の音声データを出力する第１ミキシング手段と、
前記出力チャンネル数の特定チャンネルの音声データ各々における前記第１ミキシング手段によりミキシングされる前後のボリュームの比率に基づいて、前記第２の音声ストリームに含まれる前記第２のチャンネル数の音声データのボリュームを減衰させる減衰手段と、
前記第１ミキシング手段が出力する前記出力チャンネル数の音声データ各々と、前記減衰手段が出力する音声データとをミキシングする第２ミキシング手段とを備えた、音声ミキシング装置。
【請求項２】
前記第１の音声ストリームは、ＨＤ−ＤＶＤ規格におけるメインオーディオであり、
前記第２の音声ストリームは、ＨＤ−ＤＶＤ規格におけるサブオーディオおよびエフェクトオーディオである、請求項１に記載の音声ミキシング装置。
【請求項３】
前記特定チャンネルは、フロント２チャンネルである、請求項２に記載の音声ミキシング装置。
【請求項４】
第１のチャンネル数の音声データを含む第１の音声ストリームと、前記第１のチャンネル数より少ない第２のチャンネル数の音声データを含む第２の音声ストリームとを受け付けるステップと、
前記第１の音声ストリームに含まれる前記第１のチャンネル数の音声データのうちから選択され、出力チャンネル数の特定チャンネルの音声データと、前記出力チャンネル数の特定チャンネル以外の音声データとを所定の規則に従ってミキシングして、前記出力チャンネル数の音声データを出力する第１のミキシングステップと、
前記出力チャンネル数の特定チャンネルの音声データ各々における前記第１のミキシングステップによりミキシングされる前後のボリュームの比率に基づいて、前記第２の音声ストリームに含まれる前記第２のチャンネル数の音声データのボリュームを減衰させるステップと、
前記第１のミキシングによりミキシングされた前記出力チャンネル数の特定チャンネルの音声データ各々と、前記減衰された音声データとをミキシングする第２のミキシングステップとを含む、音声ミキシング方法。
【発明の詳細な説明】
【技術分野】
【０００１】
この発明は音声ミキシング装置および音声ミキシング方法に関し、特にＨＤ−ＤＶＤ（Ｈｉｇｈ  Ｄｅｆｉｎｉｔｉｏｎ−Ｄｉｇｉｔａｌ  Ｖｅｒｓａｔｉｌｅ  Ｄｉｓｃ）規格で記録された複数の音声データをミキシングする音声ミキシング装置および音声ミキシング方法に関する。
【背景技術】
【０００２】
現在、市場に流通しているＤＶＤ再生装置は、８つの音声ストリームのうちから選択された１つの音声ストリームが出力される。このため、音声回路は、１つの音声ストリームをビットストリームのまま出力する、または、音声ストリームをデコードしたＬＰＣＭ（Ｌｉｎｅａｒ  Ｐｕｌｓｅ  Ｃｏｄｅ  Ｍｏｄｕｌａｔｉｏｎ）を出力するためのデジタル出力端子と、アナログに変換したアナログ信号を出力するためのアナログ出力端子とを備えている。
【０００３】
一方、ＨＤ−ＤＶＤ規格が定められ、ＨＤ−ＤＶＤ規格で記録された映像および音声を再生する再生装置の開発が進められている。ＨＤ−ＤＶＤ規格では、音声は、互いに同期するメインオーディオ、サブオーディオおよびエフェクトオーディオの３つの音声ストリームを含み、３つの音声ストリームがディスクに記録される。ＨＤ−ＤＶＤ規格でディスクに記録された３つの音声ストリームを出力するために、それらに対応した出力端子を備えることが考えられるが、使用面および製造コストの面から現実的でない。
【０００４】
そこで、単一のアナログ出力端子から３つの音声ストリームをミキシングして出力することが考えられる。この場合、メインオーディオがマルチチャンネルで、出力チャンネルがメインオーディオよりもチャンネル数が少ない場合、メインオーディオのチャンネル数を出力チャンネル数に減少させるダウンミックス処理をする必要がある（例えば、特許文献１）。しかしながら、メインオーディオのマルチチャンネルの音声データは、チャンネル数が減少する前後で、ボリュームが変化する場合がある。例えば、５．１チャンネルのマルチチャンネルを２チャンネルに減少すると、マルチチャンネルにおけるフロント２チャンネルのボリュームは、２チャンネルにチャンネルを減少した後には小さくなる場合がある。このため、２チャンネルのサブオーディオおよびエフェクトオーディオをそのままダウンミックスしたメインオーディオとミキシングしたのでは、出力レベルが整合しなくなってしまうといった問題がある。
【特許文献１】特開２００５−０８６４８６号公報
【発明の開示】
【発明が解決しようとする課題】
【０００５】
この発明は上述した問題点を解決するためになされたもので、この発明の目的の１つは、異なるチャンネル数の複数の音声データを適切にミキシングすることが可能な音声ミキシング装置を提供することである。
【０００６】
この発明の他の目的は、異なるチャンネル数の複数の音声データを適切にミキシングすることが可能な音声ミキシング方法を提供することである。
【課題を解決するための手段】
【０００７】
上述した目的を達成するために、この発明のある局面によれば、音声ミキシング装置は、第１のチャンネル数の音声データを含む第１の音声ストリームと、第１のチャンネル数より少ない第２のチャンネル数の音声データを含む第２の音声ストリームとが入力される音声入力手段と、第１の音声ストリームに含まれる第１のチャンネル数の音声データのうちから選択され、出力チャンネル数の特定チャンネルの音声データと、出力チャンネル数の特定チャンネル以外の音声データとを所定の規則に従ってミキシングして、出力チャンネル数の音声データを出力する第１ミキシング手段と、出力チャンネル数の特定チャンネルの音声データ各々における第１ミキシング手段によりミキシングされる前後のボリュームの比率に基づいて、第２の音声ストリームに含まれる第２のチャンネル数の音声データのボリュームを減衰させる減衰手段と、第１ミキシング手段が出力する出力チャンネル数の音声データ各々と、減衰手段が出力する音声データとをミキシングする第２ミキシング手段とを備える。
【０００８】
この局面によれば、第１のチャンネル数の音声データを含む第１の音声ストリームと、第１のチャンネル数より少ない第２のチャンネル数の音声データを含む第２の音声ストリームとが入力され、第１の音声ストリームに含まれる第１のチャンネル数の音声データのうちから選択され、出力チャンネル数の特定チャンネルの音声データと、出力チャンネル数の特定チャンネル以外の音声データとを所定の規則に従ってミキシングして、出力チャンネル数の音声データが出力され、出力チャンネル数の特定チャンネルの音声データ各々におけるミキシング前後のボリュームの比率に基づいて、第２の音声ストリームに含まれる第２のチャンネル数の音声データのボリュームが減衰される。そして、出力チャンネル数の特定チャンネルの音声データ各々と、減衰された音声データとがミキシングされる。第１の音声ストリームに含まれる第１のチャンネル数の音声データが、出力チャンネル数にまでチャンネル数を減少する際に、特定チャンネルの音声データのボリュームが、チャンネル数を減少する前後で変化する。第２の音声ストリームに含まれる第２のチャンネル数の音声データを、特定チャンネルの音声データとミキシングする際に、特定チャンネルの音声データにおけるチャンネル数を減少する前後のボリュームの比率に応じて減衰するので、第１の音声ストリームに含まれる音声データと、第２の音声ストリームに含まれる音声データとのボリュームのバランスが調整される。その結果、異なるチャンネル数の複数の音声データを適切にミキシングすることが可能な音声ミキシング装置を提供することができる。
【０００９】
好ましくは、第１の音声ストリームは、ＨＤ−ＤＶＤ規格におけるメインオーディオであり、第２の音声ストリームは、ＨＤ−ＤＶＤ規格におけるサブオーディオおよびエフェクトオーディオである。
【００１０】
好ましくは、特定チャンネルは、フロント２チャンネルである。
【００１１】
この発明の他の局面によれば、音声ミキシング方法は、第１のチャンネル数の音声データを含む第１の音声ストリームと、第１のチャンネル数より少ない第２のチャンネル数の音声データを含む第２の音声ストリームとを受け付けるステップと、第１の音声ストリームに含まれる第１のチャンネル数の音声データのうちから選択され、出力チャンネル数の特定チャンネルの音声データと、出力チャンネル数の特定チャンネル以外の音声データとを所定の規則に従ってミキシングして、出力チャンネル数の音声データを出力する第１のミキシングステップと、出力チャンネル数の特定チャンネルの音声データ各々における第１のミキシングステップによりミキシングされる前後のボリュームの比率に基づいて、第２の音声ストリームに含まれる第２のチャンネル数の音声データのボリュームを減衰させるステップと、第１のミキシングによりミキシングされた出力チャンネル数の特定チャンネルの音声データ各々と、減衰された音声データとをミキシングする第２のミキシングステップとを含む。
【００１２】
この局面によれば、異なるチャンネル数の複数の音声データを適切にミキシングすることが可能な音声ミキシング方法を提供することができる。
【発明を実施するための最良の形態】
【００１３】
以下、図面を参照しつつ、本発明の実施の形態について説明する。以下の説明では、同一の部品には同一の符号を付してある。それらの名称および機能も同じである。したがってそれらについての詳細な説明は繰返さない。
【００１４】
図１は、本発明の実施の形態の１つにおけるディスク再生装置の全体構成を示す図である。図１を参照して、ディスク再生装置１００は、画像および音声を圧縮符号化した画像データおよび音声データを記録したＨＤ  ＤＶＤ２０が装着され、そのＨＤ  ＤＶＤ２０から画像データおよび音声データを読み出して画像および音声を再生する。
【００１５】
ディスク再生装置１００は、ディスク再生装置１００の全体を制御するシステムコントローラ１０と、それぞれがシステムコントローラ１０に接続されたＬＡＮ（Ｌｏｃａｌ  Ａｒｅａ  Ｎｅｔｗｏｒｋ）インターフェース１５、操作部１２、表示部１３、読み出し用バッファ２６、再生バッファメモリ３８、デマルチプレクサ３１、およびオーディオ回路４１とを含む。
【００１６】
ＨＤ  ＤＶＤ２０は、スピンドルモータ２２によって回転される。サーボ回路２３は、スピンドルモータ２２の回転数、ピックアップ２１のフォーカスサーボおよびトラッキングサーボを制御する。ＨＤ  ＤＶＤ２０に記録されたタイトルを再生する場合、ＨＤ  ＤＶＤ２０に記録されたデータは、ピックアップ２１により読み取られる。ピックアップ２１は、ＨＤ  ＤＶＤ２０で反射した光を受光し、受光した光を光電変換素子により電気信号に変換して、復調部２４に出力する。復調部２４に入力される電気信号は、ＨＤ  ＤＶＤ２０への記録に適した信号に変調された信号であるため、復調部２４はこれを復調して元の形に戻す。誤り訂正部２５は、リードソロモン積符号（ＲＳ−ＰＣ）の訂正方式でエラー訂正し、エラー訂正したデータを読み出し用バッファ２６に記憶する。
【００１７】
システムコントローラ１０は、読み出し用バッファ２６からＭＰＥＧ（Ｍｏｖｉｎｇ  Ｐｉｃｔｕｒｅ  Ｅｘｐｅｒｔｓ  Ｇｒｏｕｐ）ストリームを読み出し、再生バッファメモリ３８に記憶する。
【００１８】
再生バッファメモリ３８に記憶されたＭＰＥＧストリームはデマルチプレクサ３１で読み取られ、各ＰＥＳ（ビデオＰＥＳとオーディオＰＥＳとを含む）に分離されて、ＭＰＥＧビデオデコーダ３２およびオーディオ回路４１に出力される。オーディオＰＥＳは、メインオーディオの音声ストリームと、サブオーディオの音声ストリームと、エフェクトオーディオの音声ストリームとの３種類を含む。オーディオ回路４１は、システムコントローラ１０により制御され、３種類の音声ストリームを処理して、デジタル出力端子ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）４２、Ｓ／ＰＤＩＦ（Ｓｏｎｙ／Ｐｈｉｌｉｐｓ  Ｄｉｇｉｔａｌ  Ｉｎｔｅｒｆａｃｅ）４３およびアナログ出力端子４４から音声データを出力する。オーディオ回路４１の詳細は後述する。
【００１９】
ＭＰＥＧビデオデコーダ３２は、入力されたビデオＰＥＳをＭＰＥＧ方式で復号し、復号したビデオデータをビデオエンコーダ３３に出力する。ビデオエンコーダ３３は、ビデオデータをＮＴＳＣ方式にエンコードし、ビデオ信号をビデオ回路３４に出力する。ビデオ回路３４は、ビデオ信号をデジタル／アナログ（Ｄ／Ａ）変換して、ビデオ出力端子３６に出力する。
【００２０】
ＬＡＮインターフェース１５は、ディスク再生装置１００をインターネット１６に接続するための通信用のインターフェースである。ここでは、ＬＡＮインターフェース１５は、インターネット１６に接続されており、システムコントローラ１０は、そのインターネットに接続されたコンピュータ１７と通信可能となっている。コンピュータ１７は、ＭＰＥＧ規格で圧縮符号化されたデータを蓄積しており、ディスク再生装置１００からの要求により、蓄積したデータを送信する。このため、ディスク再生装置１００は、コンピュータ１７から受信したデータを、上述したＨＤ  ＤＶＤ２０から読み出したデータと同様にして、映像および音声を再生する。
【００２１】
操作部１２は、ディスク再生装置１００の前面に備えられた複数のボタンスイッチを有する。操作部１２では、ディスク再生装置１００を操作するユーザの指示の入力が受付けられる。また、操作部１２は、リモートコントローラ（リモコン）１４と赤外線による無線通信が可能となっている。リモコン１４は、操作部１２と同様の指示を入力するためのボタンスイッチを有する。このため、ユーザは、操作部１２に入力するのと同様の指示を、リモコン１４を用いて入力することができる。なお、リモコン１４と操作部１２との間の通信は、赤外線通信に限られず、無線通信であれば電磁波を用いた通信であってもよい。
【００２２】
表示部１３は、液晶表示装置であり、ディスク再生装置１００の動作状態の表示、操作部１２に入力されたユーザの指示の表示等を行う。なお、液晶表示装置に代えて、またはそれとともに有機エレクトロルミネッセンスディスプレイ、ＬＥＤ（Ｌｉｇｈｔ  Ｅｍｉｔｔｉｎｇ  Ｄｉｏｄｅ）パネル等を用いてもよい。
【００２３】
図２は、オーディオ回路の詳細な構成を示すブロック図である。図２を参照して、オーディオ回路４１には、メインオーディオの音声ストリームと、サブオーディオの音声ストリームと、エフェクトオーディオの音声ストリームとが入力される。オーディオ回路４１は、メインオーディオの音声ストリームをデコードするためのメインオーディオデコーダ５１と、サブオーディオの音声ストリームをデコードするためのサブオーディオデコーダ５２と、エフェクトオーディオの音声ストリームをデコードするためのエフェクトオーディオデコーダ５３と、第１減衰器５４と、第２減衰器５５と、オーディオミキシングエンジン５６と、デジタルアナログ変換部（ＤＡＣ）５７とを含む。
【００２４】
メインオーディオデコーダ５１は、ダウンミックス部５１Ａを含む。ダウンミックス部５１Ａは、システムコントローラ１０により制御される。ダウンミックス部５１Ａが実行する処理は周知であるので、ここでは、詳細な説明は繰り返さないが、メインオーディオのチャンネル数が、出力チャンネル数よりも大きい場合に、メインオーディオのチャンネル数を出力チャンネル数に減少させる。この際、メインオーディオのチャンネルのうち、出力チャンネルに相当するチャンネルと、それ以外のチャンネルとをミキシングする。具体的には、メインオーディオが５．１チャンネルのマルチチャンネルで、出力チャンネル数が２チャンネルの場合、マルチチャンネルにおけるフロント２チャンネルに、他の３チャンネルを分配してミキシングする。ミキシング後のボリュームを調整するためにフロント２チャンネルのボリュームを減少させる。メインオーディオのチャンネル数が、出力チャンネルと同じ場合には、ダウンミックス部５１Ａは、チャンネル数を減少することなく、メインオーディオの音声ストリームをデコードして、オーディオミキシングエンジン５６に出力する。
【００２５】
システムコントローラ１０は、メインオーディオの出力チャンネルに対応する音声データ（特定チャンネルの音声データ）のダウンミックス前後のボリュームの比率に基づいて、サブオーディオの音声データの減衰率（第１減衰率）を決定し、第１減衰器５４に出力し、エフェクトオーディオの音声データの減衰率（第２減衰率）を決定し、第２減衰器５５に出力する。第１減衰器５４は、サブオーディオの音声データのボリュームをシステムコントローラ１０から入力される第１減衰率に従って減衰し、ボリュームを減衰させたサブオーディオの音声データをオーディオミキシングエンジン５６に出力する。第２減衰器５５は、エフェクトオーディオの音声データのボリュームをシステムコントローラ１０から入力される第２減衰率に従って減衰し、ボリュームを減衰させたエフェクトオーディオの音声データをオーディオミキシングエンジン５６に出力する。
【００２６】
オーディオミキシングエンジン５６は、メインオーディオデコーダ５１からデコードされたメインオーディオが入力され、第１減衰器５４から減衰されたサブオーディオの音声データが入力され、第２減衰器５４から減衰されたエフェクトオーディオの音声データが入力される。オーディオミキシングエンジン５６は、システムコントローラ１０により制御され、メインオーディオの音声データ、サブオーディオの音声データおよびエフェクトオーディオの音声データをミキシングしてＬＰＣＭを生成し、ＤＡＣ５７に出力する。
【００２７】
ＤＡＣ５７は、オーディオミキシングエンジン５６から入力されるメインオーディオ、サブオーディオおよびエフェクトオーディオをミキシングしたＬＰＣＭをアナログに変換して、アナログ出力端子４４に出力する。
【００２８】
図３は、システムコントローラで実行される音声出力処理の流れの一例を示すフローチャートである。図３を参照して、システムコントローラ１０は、メインオーディオのチャンネル数が、出力チャンネル数に等しいか否かを判断する（ステップＳ０１）。両者が等しければ処理をステップＳ０８に進め、等しくなければ処理をステップＳ０２に進める。アナログ出力端子４４により出力可能な最大のチャンネル数が予め定められているため、アナログ出力端子４４により出力可能な最大のチャンネル数を出力チャンネル数として、メインオーディオのチャンネル数と出力チャンネル数とを比較する。ここでは、アナログ出力端子４４により出力可能なチャンネル数を、２チャンネルとして説明する。また、出力チャンネル数は、ユーザが操作部１２に入力する出力設定に基づき定まるようにしてもよい。
【００２９】
ステップＳ０２では、メインオーディオデコーダ５１に出力チャンネル数を出力して、メインオーディオデコーダ５１にメインオーディオの音声ストリームをデコードさせて、デコードしたメインオーディオのチャンネル数を出力チャンネル数にダウンミックスさせる。メインオーディオのチャンネル数が５．１チャンネルとして説明すると、メインオーディオデコーダ５１のダウンミックス部５１Ａは、メインオーディオのフロント２チャンネルの音声データに、フロント２チャンネル以外の３チャンネルの音声データを分配してミキシングする。ダウンミキシングの際、ミキシング後の全体のボリュームを調整するために、必要に応じてフロント２チャンネルのボリュームを減少させる。
【００３０】
ステップＳ０３では、サブオーディオの音声ストリームと、エフェクトオーディオの音声ストリームが存在するか否かを判断し、いずれかが存在すれば処理をステップＳ０４に進め、いずれも存在しなければ処理をステップＳ０９に進める。ステップＳ０４では、サブオーディオとエフェクトオーディオそれぞれの減衰率を算出する。ステップＳ０２におけるダウンミックスによるフロント２チャンネルの減衰率に基づいて、サブオーディオとエフェクトオーディオそれぞれの減推率を算出する。例えば、フロント２チャンネル各々のダウンミックス前後のボリュームの比率から減衰率を算出し、フロント２チャンネル毎に算出した減衰率にサブオーディオおよびエフェクトオーディオ各々に対して予め定められた定数を乗じた値を、サブオーディオおよびエフェクトオーディオ各々の減衰率とする。このようにして、サブオーディオおよびエフェクトオーディオ毎にフロント２チャンネル各々に対応するチャンネルのボリュームを減衰させるための減衰率を算出する。
【００３１】
次に、サブオーディオデコーダ５２およびエフェクトオーディオデコーダ５３にサブオーディオおよびエフェクトオーディオの音声ストリームをデコードする指示を出力して、サブオーディオデコーダ５２にサブオーディオの音声ストリームをデコードさせ、エフェクトオーディオデコーダ５３にエフェクトオーディオの音声ストリームをデコードさせる（ステップＳ０５）。さらに、第１減衰器５４および第２減衰器５５に、サブオーディオおよびエフェクトオーディオそれぞれを減衰させる（ステップＳ０６）。システムコントローラ１０は、第１減衰器５４にステップＳ０４で算出したサブオーディオに対応する減衰率を出力し、第１減衰器５４にサブオーディオの音声データを減衰させる。また、第２減衰器５５にステップＳ０４で算出したエフェクトオーディオに対応する減衰率を出力し、第２減衰器５５にエフェクトオーディオの音声データを減衰させる。
【００３２】
そして、ステップＳ０７において、オーディオミキシングエンジン５６に、メインオーディオ、サブオーディオおよびエフェクトオーディオをミキシングさせる。さらに、オーディオミキシングエンジン５６にミキシングしたデータをＤＡＣ５７に出力させて、アナログ出力端子４４から出力させる（ステップＳ０９）。
【００３３】
一方、ステップＳ０８では、メインオーディオデコーダ５１、サブオーディオデコーダ５２およびエフェクトオーディオデコーダ５３にメインオーディオ、サブオーディオおよびエフェクトオーディオの音声ストリームをデコードする指示を出力して、メインオーディオデコーダ５１にメインオーディオの音声ストリームをデコードさせ、サブオーディオデコーダ５２にサブオーディオの音声ストリームをデコードさせ、エフェクトオーディオデコーダ５３にエフェクトオーディオの音声ストリームをデコードさせる（ステップＳ０５）。そして、オーディオミキシングエンジン５６に、メインオーディオ、サブオーディオおよびエフェクトオーディオをミキシングさせ（ステップＳ０７）、オーディオミキシングエンジン５６にミキシングしたデータをＤＡＣ５７に出力させて、アナログ出力端子４４から出力させる（ステップＳ０９）。
【００３４】
以上説明したように本実施の形態におけるディスク再生装置１００は、５．１チャンネルの音声データを含むメインオーディオの音声ストリームと、２チャンネルの音声データを含むサブオーディオおよびエフェクトオーディオの音声ストリームとが入力され、メインオーディオの音声ストリームに含まれる５．１チャンネルの音声データのうちから選択されたフロント２チャンネルの音声データと、フロント２チャンネル以外の音声データとを所定の規則に従ってダウンミキシングして、２チャンネルの音声データを出力し、フロント２チャンネルの音声データ各々におけるダウンミキシングされる前後のボリュームの比率に基づいて、サブオーディオおよびエフェクトオーディオ各々の音声ストリームに含まれる２チャンネルの音声データのうちフロント２チャンネルに対応する音声データのボリュームを減衰させ、ダウンミキシングされたフロント２チャンネルの音声データ各々と、該フロント２チャンネルに対応する減衰された音声データとをミキシングする。メインオーディオに含まれる５．１チャンネルの音声データが、出力チャンネルの２チャンネルにまでチャンネル数を減少する際に、フロント２チャンネルの音声データのボリュームが、チャンネル数を減少する前後で変化する。サブオーディオおよびエフェクトオーディオ各々に含まれる２チャンネルの音声データを、フロント２チャンネルの音声データとミキシングする際に、フロント２チャンネルの音声データにおけるチャンネル数を減少する前後のボリュームの比率に基づいて減衰するので、メインオーディオの音声ストリームに含まれる音声データと、サブオーディオおよびエフェクトオーディオ各々の音声ストリームに含まれる音声データとのボリュームのバランスが調整される。その結果、異なるチャンネル数の複数の音声データを、ボリュームのバランスを調整してミキシングすることができる。
【００３５】
なお、上述した実施の形態においては、ディスク再生装置１００について説明したが、図３に示した音声出力処理をコンピュータに実行させる音声再生方法として発明を捉えることができるのは言うまでもない。
【００３６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００３７】
＜付記＞
（１）  前記第１ミキシング手段は、前記第２のチャンネル数の音声データを出力する、請求項１に記載の音声ミキシング装置。
（２）  前記第２のチャンネル数は、２チャンネルである、請求項１に記載の音声ミキシング装置。
【図面の簡単な説明】
【００３８】
【図１】本発明の実施の形態の１つにおけるディスク再生装置の全体構成を示す図である。
【図２】オーディオ回路の詳細な構成を示すブロック図である。
【図３】システムコントローラで実行される音声出力処理の流れの一例を示すフローチャートである。
【符号の説明】
【００３９】
１０  システムコントローラ、１２  操作部、１３  表示部、１４  リモコン、１５  ＬＡＮインターフェース、１６  インターネット、１７  コンピュータ、２０  ＨＤ  ＤＶＤ、２１  ピックアップ、２２  スピンドルモータ、２３  サーボ回路、２４  復調部、２５  誤り訂正部、２６  読み出し用バッファ、３１  デマルチプレクサ、３２  ＭＰＥＧビデオデコーダ、３３  ビデオエンコーダ、３４  ビデオ回路、３６  ビデオ出力端子、３８  再生バッファメモリ、４１  オーディオ回路、４２  ＨＤＭＩ、４３  Ｓ／ＦＤＩＦ、４４  アナログ出力端子、５１  メインオーディオデコーダ、５１Ａ  ダウンミックス部、５２  サブオーディオデコーダ、５３  エフェクトオーディオデコーダ、５４  第１減衰器、５５  第２減衰器、５６  オーディオミキシングエンジン、５７  ＤＡＣ、１００  ディスク再生装置。
【図１】
2007221483.tif 000003
【図２】
2007221483.tif 000004
【図３】
2007221483.tif 000005